(57)【要約】本発明は、教育コンテンツの管理及び保存のためのシステム、及びその動作方法に関する。特に、教師によって使用されるコンピュータと、学生によって使用されるコンピュータと、他の周辺機器との間の統合及び情報のやり取りを提供し、全ての行為／活動を管理して記録し、イベントが様々な地理的位置において実施された場合でもイベント間での情報のやり取り及び互換性を可能にする。本発明は、学校、トレーニングプロバイダ、及び他の事業体に有用である。教室／訓練セッション／ビジネスミーティング又は同様の場面での、対話型及び協調型環境を形成するデータ処理基盤により、教育に適用される情報及び通信の新規技術の導入によって教育成果を高める。【選択図】図１
2012519322.tif 000002
【特許請求の範囲】
【請求項１】
ａ．プロセッサ及びデータ・メモリと；
ｂ．データ・ストレージと；
ｃ．データ通信用機構（場合により、無線）と；
を備えるサーバ（Ｐ／Ｅサーバ）を含み、さらに、
ａ．１以上の対話型スマートボードと；
ｂ．１以上の作業コンピュータとを含むことを特徴とする、学校コンテンツ管理及び保存システム。
【請求項２】
請求項１記載のシステムであって、
前記サーバ（Ｐ／Ｅサーバ）は、
ａ．セキュリティ・バリア、ファイアウォール、及び／又は、マイクロチップ暗号化を含む、１以上のデータ・セキュリティ用機構；
ｂ．レーザー検出システムを用いる、１以上の２次的なセキュリティ機構；
ｃ．無線ＩＣタグ個人認証機構、及び／又は、生体認証機構（指紋認識、及び／又は、顔面認識、及び／又は、虹彩認識、及び／又は、音声認識）による１以上の個人認証機構、の中から１以上の機構を組み込むことを特徴とするシステム。
【請求項３】
請求項１又は２記載のシステムであって、
前記サーバ（Ｐ／Ｅサーバ）は、
ａ．マイクロホン；
ｂ．カメラ；
ｃ．テキスト／音声／ビデオ−会議サブシステム；
ｄ．地球位置決定されたユーザの位置検出サブシステム、の中から１以上のサブシステムを含むことを特徴とするシステム。
【請求項４】
請求項１〜３のいずれか一項に記載のシステムであって、
前記サーバ（Ｐ／Ｅサーバ）は、
ａ．機械化され、及び／又は、監視されたドア・ロック・システム；
ｂ．監視された電源システム；
ｃ．サーバの動作状態を表示する外部スクリーン、の中から１以上のものを含むことを特徴とするシステム。
【請求項５】
請求項１〜４のいずれか一項に記載のシステムであって、
Ｐ／Ｅサーバと呼ばれるサーバ・デバイスは、
ａ．構造体エクスプローラ；
ｂ．制御システム；
ｃ．アプリケーション・マネージャ及びセレクタ；
ｄ．ユーザー・プロファイル・マネージャ；
ｅ．ユーザー・ロケーション・マネージャー；
ｆ．ギャラリー・マネージャ；
ｇ．作業グループ管理システム；
ｈ．従属性管理システム；
ｉ．保存場所及びアプリケーション・ストレージ・システム、の中から１以上のモジュールを含むことを特徴とするシステム。
【請求項６】
請求項１〜５のいずれか一項に記載のシステムの操作方法であって、
ａ．前記認証機構を通じて、各ユーザ及び作業コンピュータそれぞれを確認し、認証する工程；
ｂ．マイクロホンを用いて、教室の音声を記録する工程；
ｃ．ビデオカメラを用いて、教室の映像を記録する工程；
ｄ．前記音声／ビデオ会議サブシステムを通じて、音声及び映像を交換する工程；
ｅ．前記地球位置決定サブシステムを用いて、各ユーザの位置を監視する工程；
ｆ．無線、及び／又は、有線通信サブシステムを用いて、作業コンピュータ間の接続を提供する工程、の中から１以上の工程を、前記サーバ・デバイスを通じて教育コンテンツの管理及び配信のために含むことを特徴とする方法。
【請求項７】
請求項１〜６のいずれか一項に記載のシステムの操作方法であって、
ａ．サーバ間でコンテンツを自動的に配信し、コンテンツの連続的な利用可能性及び同期を保証する工程；
ｂ．コンテンツのインデックス作成及び分類化、バージョン管理及びライフサイクル追跡を管理する工程；
ｃ．セキュリティレベル及びアクセスレベルを管理する工程；
ｄ．情報のセントラル・レポジトリを提供する工程；
ｅ．個人の作業領域と呼ばれる情報の個別のリポジトリを提供する工程；
ｆ．標準の生産性ツールによる統合を行う工程；
ｇ．所定のコンテンツのためのテンプレートを使用し、作成する工程；
ｈ．情報／コンテンツの流れを制御する工程；
ｉ．コンテンツ、テンプレート、ファイル構造、及び複製ルールを含む、メタデータ制御構造を管理する工程；
ｊ．カレンダー、イベント及びタスクのリストを管理する工程、の中から１以上の工程を前記システムに含むことを特徴とする方法。
【請求項８】
請求項６又は７に記載のシステムの操作方法であって、
ａ．確認する工程；
ｂ．認証する工程；
ｃ．報告、コンテンツを保存する工程；
ｄ．アプリケーション及びモジュールをインストールし、実行する工程；
ｅ．ソフトウェアをアップデートする工程、の中から１以上の工程をアプリケーション管理のために含むことを特徴とする方法。
【請求項９】
請求項６〜８のいずれか一項に記載の操作方法であって、
ａ．トップレベルシステムによりサブシステムを登録する工程；
ｂ．サブシステムにより、前記トップレベルシステムに、自己インストールと、認証情報及び認証情報の機能を含む設定とに必要な全ての情報をリストすることを要求する工程；
ｃ．トップレベルシステムにより、トップレベルシステム間でサブシステムが互いに通信可能な信頼性のあるルールを作成して実行し、一方、各システムが信頼できる接続を有するシステムと通信する工程、の中から１以上の工程を作業コンピュータのアプリケーション管理のために含むことを特徴とする方法。
【請求項１０】
請求項６〜９のいずれか一項に記載の操作方法であって、
ａ．ユーザのプロファイル及びアクセスレベルに応じて、各ユーザを識別する工程；
ｂ．各ユーザの属性、プロパティ、コンテンツ及びコンテンツ・ギャラリーを作成及び維持する工程；
ｃ．デジタル証明書を管理し、ユーザにデジタル証明書を配布する工程、の中から１以上の工程を各ユーザの個人プロファイルを管理するために含むことを特徴とする方法。
【請求項１１】
請求項６〜１０のいずれか一項に記載の操作方法であって、
ａ．リアルタイム及びオフラインで、グループのメンバー間でコンテンツ又は情報を共有する工程；
ｂ．メンバーに対して集中型の作業セッション、及び／又は、ロック及び／又はアンロックされた作業コンピュータを起動する工程；
ｃ．リアルタイムで、セッション参加者間で、仮想作業領域の制限なく対話型ホワイトボードで起きる対話を含む、対話を通信する工程；
ｄ．メンバーの出席及び参加を記録する工程；
ｅ．作業セッション中に起きる対話を記録する工程；
ｆ．予め記録されたセッションを実行する工程；
ｇ．異なるコンピュータ間でコンテンツを複製する工程；
ｈ．各個別のユーザに対して、作業セッション中に、対話型コンテンツを起動する工程；
ｉ．「挙手」と呼ばれる、対話型参加者のリクエストを起動し信号を送信する工程；
ｊ．メモを取るために仮想作業セッションを使用する工程；
ｋ．仮想作業セッションの複製物を使用し、個人の課題を提示して登録する工程；
ｌ．共同作業を可能にするために、ユーザ間でメッセージを送信する工程；
ｍ．自動的に、音声録音を文字に起こし、文字に起こされたものをサブタイトルとして送信する工程；
ｎ．仮想作業領域中に書き込まれた文字を、認識して転写し、インデックス作成を可能にする工程；
ｏ．合成された音声を通してテキストで書き込まれたコンテンツを再生する工程；
ｐ．異なる情報のアクセスレベルにより、ユーザ・グループを作成する工程；
ｑ．作業セッションのユーザ間でコンテンツを送信するために、ファイルとコンテンツとの間の従属性を管理する工程；
ｒ．操作を実行した人と、操作が行われた時間と、操作の一部として実行されたものとを含む、各操作の聴講情報を維持する工程；
ｓ．権限が与えられた作業セッションのユーザにより、権限が与えられていないユーザの全ての活動を制御できる工程；
ｔ．既存のコンテンツを新規なコンテンツに組み込む工程；
ｕ．従来のドキュメントフォーマットを新規なコンテンツに組み込む工程；
ｖ．作業セッションのユーザを管理する工程、の中から１以上の工程を作業グループを管理するために含むことを特徴とする方法。
【請求項１２】
請求項６〜１１のいずれか一項に記載の操作方法であって、
ａ．アクセスコードをダイアルする工程；
ｂ．使用可能なＲＦＩＤである、個人のＩＤカードを読み取る工程；
ｃ．生体認証システムにより提供されるような第２のユーザの生体認証情報を認証する工程；
ｄ．正規な認証により、全てのセキュリティ機構を無効にする工程；
ｅ．自動ロック機構を開放することにより、サーバへの物理的アクセスを可能にする工程、の中から１以上の工程をＰ／Ｅサーバに物理的にアクセスするために含むことを特徴とする方法。
【発明の詳細な説明】
【技術分野】
【０００１】
本発明は、教育コンテンツの管理及び保存のためのシステム、及びその動作方法に関する。特に、教師によって使用されるコンピュータと、学生によって使用されるコンピュータと、他の周辺機器との間の統合と情報のやり取りにより、全ての行為／活動を管理、記憶、そして保存し、同じサイト、又は地理的に離れた位置の各地で実施されたイベントでの対話型協調を可能にする。
【発明の概要】
【発明が解決しようとする課題】
【０００２】
本発明の目的は、教育機関の電子的コンテンツを管理及び保存するためのソリューションを提供することである。
【０００３】
本発明は、学校、トレーニングプロバイダ、及び他の事業体に有用である。教室での情報のやり取り及び協調管理のための情報化基盤により、指導及び訓練に適用される情報及び通信の新規技術の導入で求められる教育成果を高める。
【０００４】
本発明は、物理的な教室、類似する教室という概念を陳腐化する仮想教育空間の作成を可能にする。ユーザ（教師、学習者、実習生、監視員、参加者等）は、彼／彼女の物理的位置に関わらず、クラスにアクセスすることができる。
【０００５】
本発明はまた、教室の外部で、非同期的に用いられ得る。学生／教師／親／等が、（ユーザのプロファイルにリンクした許可に応じて）その位置に関わらず、いつでも学校の公共電子的コンテンツにアクセスすることができる。
【課題を解決するための手段】
【０００６】
本発明は主に、プロセッサ、メモリー、データ記憶システム、データ通信システム（場合により、無線）を備え、１以上の対話型スマートボード又は１以上の作業コンピュータへのリンクを含む、Ｐ／Ｅサーバと呼ばれるデバイス・サーバを表現する。
【０００７】
本発明の好ましい実施形態は、次の１以上の機構（mechanism）を含む、Ｐ／Ｅサーバと呼ばれるデバイスによって特徴付けられる。
・セキュリティ・バリア、ファイアウォール、及び（又は）マイクロチップ暗号化を含む、１以上のデータ・セキュリティ用機構；
・レーザー検出システムを用いる、１以上の周辺機器のセキュリティ機構；
・１以上の個人認証機構、特に、無線ＩＣタグ（ＲＦＩＤ）用個人認証機構、及び／又は、指紋認識及び／又は顔面、及び／又は虹彩（アイリス）、及び／又は音声を含む、生体認証機構。
【０００８】
本発明の好ましい実施形態は、次の１以上のものを含む、Ｐ／Ｅサーバと呼ばれるデバイス・サーバによって特徴付けられる。
・マイクロホン；
・カメラ；
・テレビ会議システム；
・地球位置決定システム（geo-positioning system）又は周辺のユーザ検出。
【０００９】
本発明の他の好ましい実施形態は、次の１以上のものを含む、Ｐ／Ｅサーバと呼ばれるデバイス・サーバによって特徴付けられる。
・機械化された開始ドア、及び／又は、監視された開始ドア；
・監視された電源システム；
・サーバの稼動状態を表示する外部スクリーン。
【００１０】
本発明の他の好ましい実施形態は、更なる次のモジュールを含む。
・構造体エクスプローラ（structure explorer）；
・コントロールシステム；
・アプリケーション・マネージャ及びセレクタ；
・ユーザプロファイル管理システム；
・ユーザ位置管理システム；
・コンテンツ管理システム；
・作業グループ管理システム；
・従属性管理システム（dependency management system）；
・電話／テレビ会議システム；
・コンテンツ及びデータの収納場所、及びアクセスシステム。
【００１１】
本発明はまた、前述したサーバを用いる学術コンテンツの管理及び配布を可能にする、１以上の次の工程を備える、上述したシステムを稼動する方法を表す。
・言及された認証機構を通じて、各ユーザの作業を確認し、かつ、認証する工程；
・マイクロホンを用いて、教室の音声／音を記録する工程；
・カメラを用いて、作業セッションの映像を記録する工程；
・音声／ビデオ会議システムを通じて、音声及び映像を交換する工程；
・地球位置決定システムを用いて、各ユーザの位置を監視する工程；
・無線、及び／又は、有線通信システムを用いて、作業コンピュータを接続する工程。
【００１２】
本発明の好ましい実施形態は、コンテンツ管理のために１以上の次の工程を備える。
・サーバ間でコンテンツを自動的に配信し、コンテンツの連続的な利用可能性及び同期を保証する工程；
・自動インデックス作成、分類化、バージョン管理及びライフサイクル管理を通じてコンテンツを構成する工程；
・セキュリティレベル及びアクセスレベルを管理する工程；
・情報のセントラル・レポジトリを提供する工程；
・例えば、個人の作業領域等の、情報の個別のリポジトリを提供する工程；
・標準の生産性ツールによる統合を行う工程；
・情報の流れ及びコンテンツの制御；
・コンテンツ、コンテンツテンプレート、ファイル構造、及び複製ルールを含む、所定の構造を使用し、及び作成する工程；
・カレンダー及びこれから起きるイベントを管理する工程。
【００１３】
本発明の別の好ましい実施形態は、さらに、アプリケーション管理のために、１以上の次の工程、すなわち、認証（authentication）工程、承認（authorization）工程、報告及び情報保存工程、アプリケーション及びモジュールのインストール工程、アプリケーションソフトウェアのアップグレード工程、及び、安全な方法でのアプリケーションの実行工程を備える。
【００１４】
本発明の他の好ましい実施形態は、作業コンピュータ上のアプリケーションを管理する１以上の次の工程を備える。
・トップレベルシステムがサブシステムを登録する工程；
・サブシステムが、トップレベルシステムに、自己インストール及び設定に必要な全ての情報をリストすることを要求する工程；
・トップレベルシステムが、トップレベルシステム間で信頼性のあるルールを作成して実行し（follow）、他の信頼性のあるサブシステムとのみ通信するために、全てのサブシステムを実行する工程。
【００１５】
本発明の更に好ましい実施形態は、各ユーザの個人プロファイルを管理するために、１以上の次の工程を備える。
・異なるアクセス（プロファイル）レベルに応じて、ユーザを識別及び分類する工程；
・各ユーザの属性、電子ドキュメント、プロパティ、及びコンテンツ・ギャラリーの作成及び維持する工程；
・ユーザにライセンスを割り当て、試験又はテスト結果を含める工程。
【００１６】
本発明の他の更に好ましい実施態様は、１以上の次の作業グループ管理機能を備える。
・リアルタイム又はオフラインで起こる可能性がある、作業グループのメンバー間でコンテンツを共有する機能；
・集中型の作業セッション、及び／又は、ロック／アンロックされたユーザのコンピュータを起動する機能；
・リアルタイムで、対話型スマートボードに起きる対話を含め、外見上制限なく、セッション参加者間の対話を通信する機能；
・全ての作業セッションユーザに、対話型スマートボードのコンテンツを複製する機能；
・作業セッションユーザの出席を記録する機能；
・セッション中に起きる対話を記憶する機能；
・予め記録されたセッションを実行する機能；
・異なるコンピュータ間でオブジェクトを複製する機能；
・各個別のユーザに対して、作業セッション中に、対話型オブジェクトを起動する機能；
・「挙手（raising hand）」と呼ばれる、対話型参加者のリクエストを示す機能；
・スマートボードに書き込まれた質問又は論点をリストする機能；
・複製物の特性を使用し、個人の課題を提示又は登録する機能；
・共同作業を可能にするために、ユーザ間でメッセージを送信する機能；
・自動的に、音声録音をサブタイトルへ文字に起こす（transcribing）機能；
・スマートボード又は個人の仮想作業領域中の文字を認識して転写し、インデックス作成を可能にする機能；
・コンテンツの音声複製物に対して音声（speech）を合成する機能；
・情報への異なるアクセスにより、別個のサブグループを作成する機能；
・必要な情報のみをユーザに渡すために、ファイルとコンテンツとの間の従属性を管理する機能；
・各トランザクションの聴講（audit）情報（誰が／いつ／何を）を維持する機能；
・全ての活動を、ユーザがユーザの権限（先生、指導者等）により制御されるように実行する機能；
・既存のコンテンツを新規なコンテンツに組み込む機能；
・新規なコンテンツを作るために、従来のドキュメントフォーマットを備える機能；
・作業セッション中のユーザを管理する機能。
【００１７】
本発明の他の更に好ましい実施態様は、サーバへの物理的アクセスのために、更に次の工程を備える。
・アクセスコードをダイアルする工程；
・ユーザの無線ＩＣタグ（使用可能なＲＦＩＤ）を読み取る工程；
・各ユーザの生体認証情報を認証する工程；
・レーザービームを停止する工程；
・自動機構を起動し、ドアを開ける工程。
【図面の簡単な説明】
【００１８】
【図１】本システムに関してユーザの観点からみた概要図。
【図２】プロセス・フロー・ダイアグラム（概要図）。
【発明を実施するための形態】
【００１９】
Ｐ／Ｅプラットフォームは、教育環境及び訓練環境（学者、企業等）であり、対話型協調及び教室管理のためのコンピュータ基盤を有する、学校、訓練プロバイダ、及び他の機関が、教育に適用される情報及び通信の新規技術の導入で求められる教育成果を高めることができる、ハードウェアコンポーネントとソリューションのセットからなる。
【００２０】
本プラットフォームは、教師、学生、及び、例えば、対話型ホワイトボード、プロジェクタ、カメラ、マイクロホン、スキャナ等の他の周辺機器によって使用されるコンピュータ間の統合及び対話を可能にするために、教室／訓練セッション／ミーティング又はビジネススクール／等で実行されることを目的としている。
【００２１】
本プラットフォームは、作業セッション中の全ての行為／活動を、集団で又は個々に、管理及び保存することができる。例えば、後学のために学生のカリキュラムのファイリングを可能にする。
【００２２】
本プラットフォームはまた、様々な地理的位置で実行されるイベント間の対話（情報のやり取り）及び互換性を可能にさせ、異なる教室間、及び、地理的に離れた教室と学生との間の、動的な作業環境を可能にする。
【００２３】
プラットフォームＰ／Ｅは、ミニ・データセンター（mini-datacenter）からなる。ミニ・データセンターは、いくつかの技術コンポーネントを含み、上記の提案したオブジェクトを保証する手段として、イベント／クラス／訓練セッション／ミーティングのコースに使用されるアプリケーション・ソリューションのセットに存在する（reside in）。本プラットフォームはまた、提供された全てのコンテンツに対して、いつでもオンライン（online）で利用可能であり、（“ユーザ・ネーム／キーワード”の２つに基づいた従来の認証機構を使用することにより）正規に権限が与えられたユーザによりアクセス可能である。
【００２４】
Ｐ／Ｅプラットフォームのハードウェアは、Ｐ／Ｅサーバ、サーバ、又はＰ／Ｅと呼ばれる、ミニ・データセンターである、中央エレメントと相互接続する異なるデバイスに基づいている。
【００２５】
本発明の理解をより深められるために、本発明のさらなる（preferential）具体例を表す、添付図面を含む。しかしながら、前記図面のコンテンツは、本願発明の目的を限定すべきではない。
【００２６】
図１は、本システムに関してユーザの観点からみた概要図を示す。以下、図１を用いて本システムについて説明する。
【００２７】
１．Ｐ／Ｅサーバ
Ｐ／Ｅサーバは、作業セッションか否かに関わらず、システムによって実行される情報（静的／動的なコンテンツ、ドキュメント、テキスト、音声、ビデオ、会議等）の通信の全ての形式を統合し；インデックスを作成し、保存し、全てのプラットフォームのノードに対して配布プラットフォームとして機能し、かつ、それらの設定を維持し；制御コマンドを実行し、照会し、セキュリティ制限と、ユーザによって定義され、ユーザ自身に十分な特権を有する信用ルール（rule of trust）とを実行し；作業グループ間で対話型作業セッションを調整し；コンテンツ及びドキュメント分類化構造のための保存場所としての役目を果たし、その一方で、それらの管理を可能にさせる。
【００２８】
Ｐ／Ｅサーバは、ユーザのコンピュータにおいて実行／記憶されるプラットフォームのコンポーネントをアップデート／アップグレードする必要性を自動的に決定し、最新のシステム仕様の全システムに自動的にアップデートする。
【００２９】
２．対話型作業セッション管理
ユーザ間の仮想対話型作業セッションが、リアルタイムで発生し、Ｐ／Ｅサーバによって調整される。参加者の制限なく、ユーザ（学習者、教育者、アシスタント等）のコンピュータと、他の音声／ビデオ／対話型周辺機器とを含む。Ｐ／Ｅサーバは、自身の設定によって定義された全ての設定構造を実行する（プロセス・フロー・ダイアグラム参照−１．１〜１．１０）。
【００３０】
３．ユーザによる、ユーザのコンピュータからの作業グループ管理システムの制御
作業グループの仮想対話型作業セッションを制御するために、ユーザは、ユーザのコンピュータから、作業グループ管理システムのコマンドを実行し；全ての制御コマンドはリアルタイムでＰ／Ｅサーバに送信され、そして、Ｐ／Ｅサーバは、動作内容を実現するために動作用内部設定をチェックし、対話型作業セッションの他のユーザ全てに初期コマンドを送信し；Ｐ／Ｅサーバは分類化し、インデックスを作成し、そして情報を保存し；ユーザはまた、他の作業セッションのユーザと対話するために、テキスト／音声／ビデオ会議のサブシステムを使用することができる。
【００３１】
４．ユーザによる、ユーザのコンピュータからの作業グループ管理システムセッションの監視
ユーザのコンピュータは、ユーザから発信され、Ｐ／Ｅサーバを通じて発信された全ての作業セッション状況の制御コマンドを受信し（上記の項目３参照）；ブロックされていない場合、離れたユーザは同じ対話型作業セッション制御コマンドを実行してもよく、それに対して、Ｐ／Ｅサーバはまた、同じ制限コマンドを実行し、他の作業セッションのユーザ全てに、上述した（項目３の）ように経路をルーティングし、そして、状況／情報／ドキュメントが作業セッション内で双方向に流れ、かつ、全ての参加者がそのデータと情報のやり取りをしてもよいということを保証する。
【００３２】
５．通信
無線又は有線通信デバイスは、Ｐ／Ｅサーバと他のシステムコンポーネント全て（ユーザのコンピュータ、対話型ボード等）との間でデータ通信を保証する。他のシステムコンポーネントは、Ｐ／Ｅサーバが提供される機構から、物理的に離れても離れなくともよい。
【００３３】
６．ユーザによる、対話型ホワイトボードを用いた作業グループ管理システムへの指示
統合層を通じて、ユーザは、Ｐ／Ｅプラットフォームを制御するために、対話型ホワイトボードから、上述の項目１及び２で述べた同じコマンドを実行することができる。
【００３４】
７．ユーザによる、ユーザのコンピュータからの作業グループ管理システムのセッションの監視
（上述の項目４の特別なケース；該当セクション参照）ユーザは、物理的な位置と独立して、プラットフォームを制御し、プラットフォームと情報のやり取りをすることができる。物理的にＰ／Ｅサーバの提供サイトにいないユーザは、リモート・ユーザ（Remote User）と呼ばれる。彼／彼女は、作業グループ管理システムを使用し、まるで物理的に提供されているかのように、対話型作業セッションを制御する。
【００３５】
８．ポータル
ユーザは、直接Ｐ／Ｅサーバにアクセスすることによって、Ｐ／Ｅプラットフォームの管理及び設定サブシステムにアクセスする。プロセス・フロー・ダイアグラム参照（項目２．１〜２．４）。
【００３６】
図２は、プロセス・フロー・ダイアグラム（概要図）を示す。以下、図２を用いてプロセス・フロー・ダイアグラムの内容について説明する。
【００３７】
１．作業グループ管理システムを通じた、Ｐ／Ｅサーバアクセスプロセス
【００３８】
１．１．作業グループ管理システムへのアクセス
ユーザは、作業グループ管理システムの開始制御コマンドを発信し；任意に、ユーザの参加がリクエストされているセッションが作られると、サーバは自動的にコマンドを実行することもできる。
【００３９】
１．２．ユーザ証明（User Authentication）
ユーザは、作業グループ管理システムで、本人であることを証明する。
【００４０】
１．３．ユーザ認証（User Identification）
認証情報及び照合プロファイルに基づいて、システムは、ユーザを認証し、（そのときのプラットフォームの設定に基づく）実行できる作業セッションのリストをユーザに提供する。任意に、ユーザは、事前に構成されていないセッションを作成することもできる。
【００４１】
１．４．ユーザによる、作業セッションの開始
ユーザは、作業セッションを選択し、作業セッションを開始する。
【００４２】
１．５．作業セッションの起動
システムは、セッション開始コマンドをＰ／Ｅサーバに通信する。Ｐ／Ｅサーバは、全てのセッションのメタデータ（関係する参加者のリスト、初期セッションのコンテンツ、又は事前セッションのコンテンツ）を取得し、物理的な作業セッションの仮想表現（virtual representation）を作成する。作業セッションが有効である間、セッションのメタデータはいつでもユーザによって変更されることもでき；Ｐ／Ｅサーバは、自動的に、作成したセッションのコマンドを、（設定を通じて）作業セッションの参加者（part）であるとして認証された、証明したユーザ全てに送り；Ｐ／Ｅサーバは、上記ユーザが全てのメタデータとセッションコンテンツを利用可能にする。
【００４３】
１．６．外部システムの統合
セッション情報は、カスタム統合機構を通じて、自動的に、関連する外部システム（学校ＥＲＰシステム、企業イントラネット等）と共有される。本プロセスは、プラットフォームが設定によって提供された仕様に応じて構成された場合のみ、実行される。本プロセスはそのような外部システムの可用性（availability）に依存する。
【００４４】
１．７．仮想ボードの起動
作業グループ管理システムは正しく初期化され、そして、Ｐ／Ｅサーバは、作業セッションのコンテンツで発生するユーザにより開始される全てのアクションを、監視し、制御し、送信することができる。
【００４５】
１．７．１．仮想ホワイトボードの起動
ユーザは、事前にユーザのコンピュータに保存された、又は、Ｐ／Ｅサーバに保存された、前の作業セッションを再開することができる。Ｐ／Ｅサーバにコマンドを送信すると、権限が与えられたユーザは、他のユーザが同じ作業セッションの参加者（part）である場合、他のユーザのコンピュータの作業グループ管理を起動／終了することができる。
【００４６】
１．７．２．欠席及び参加の記録
権限が与えられたセッションのユーザは、システム上のユーザの状態（ユーザが、ログオンしているかもしれないが、作業セッションに欠席しているとマークされている状態）とは独立に、他のユーザの物理的（又は仮想的）欠席を記録することができ；Ｐ／Ｅサーバは、自動的にユーザの状態（物理的／仮想的欠席及び参加の両方）を、作業セッションのユーザ全てに送信する。いつでも、ユーザは、作業セッションに投稿又は参加を要求するために、コマンドを呼び出すことができ（「挙手（raising the hand）」とされるかもしれない）；そのコマンドはＰ／Ｅサーバによって全ユーザに送られ、そして、権限が与えられたユーザは、その作業セッションをブロックしないことによって、要求するユーザが参加することを可能にし（本コマンドは、同時に、１以上のユーザをブロックしないことが可能である）；権限が与えられたユーザはまた、ユーザが作業セッションに参加することを禁止することができ（権限が与えられていないユーザは、初期設定で参加することがブロックされている）；最終的に、権限が与えられたユーザは、スコアを、個別に各ユーザの参加の結果であると考えることができる。Ｐ／Ｅサーバは、リアルタイムで、これら全てのコマンドを追跡し、作業セッションの参加者全てに送信する。
【００４７】
１．７．３．仮想ボードの情報のやりとり（interaction）
権限が与えられたユーザは、現在の作業セッションとの関係で、他のユーザとの情報のやり取りのために仮想作業領域を作成及び削除し；ユーザは、事前に作成された仮想作業領域間でスイッチすることができ；全てのユーザは、同じ複数の仮想作業領域を共有し、そして、現在の同じ仮想作業領域で情報のやり取りをし；スイッチ仮想作業領域コマンドに応じて、Ｐ／Ｅサーバは自動的に、作業セッション中のユーザの仮想作業領域を変えることができ；権限が与えられたユーザは、作業セッションの制御を、他の権限が与えられたユーザに委ねることができる。そして、Ｐ／Ｅサーバは、メイン・コントローラとして、新規のユーザを認識する。
【００４８】
権限が与えられたユーザは、他のユーザ又はユーザのグループに、特定の共同作業タスク（アンケート及び課題への応答、コンテンツ制作、及び注釈等）を実現する意図をもって、特定の作業領域を割り当てることができる。ブロックされていないユーザは、同時に、彼らのコンピュータ、及び／又は、外部対話型デバイス（例えば、対話型ボード、デジタル・ペン等）を使用して、割り当てられた作業領域から、仮想コンテンツ（書き込み、描画、イメージの追加、音声、ビデオ等）を追加、変更、そして削除することができる。
【００４９】
１．７．４．関連付けられたドキュメントの添付／分離
ブロックされていないユーザは、作業セッションに関連するドキュメントを選択し、それらを作業セッションに添付し；ユーザはまた、いつでも、それらのドキュメントを削除することができる。
【００５０】
１．７．５．動的コンテンツ
【００５１】
１．７．５．１．コンテンツの追加／削除
ユーザは、Ｐ／Ｅサーバの保存構造体をナビゲートし、そして、構造体に位置づけられたコンテンツを、直接仮想作業セッションに含めることができる。本コンテンツは、ユーザの私的に管理されたコンテンツ領域、公開のナビゲート可能な構造体、及び／又は、公開のコンテンツ・ギャラリーによってもたらされる。
【００５２】
１．７．５．２．コンテンツとの情報のやりとり
作業セッションに含められた動的コンテンツは、動的コンテンツが含められた作業領域と、また動的コンテンツが実行されるコンピュータとに応じて、動的に機能する（全てのユーザは仮想作業領域を共有するが、動的コンテンツは特定のユーザ各々と認識し、独立して情報のやり取りをすることができる）。動的コンテンツは、初期容量を超えてシステム機能を拡張することができ；動的コンテンツと情報のやりとりをすると、ユーザは他の形式の予め定められていないアクションも動作させる機能を起動し；動的コンテンツはまた、作業セッションのリモート・ユーザと情報のやり取りをするために、Ｐ／Ｅサーバを使用することができる。
【００５３】
１．７．６．協調（Collaboration）
【００５４】
１．７．６．１．課題／試験の提示
作業グループ管理システムの対話機能及び協調機能を使用すると、ユーザは問題や課題のレイアウトを提起、及び／又は、議論スレッドを開始する（他の協調シナリオも可能である）。
【００５５】
１．７．６．２．課題／試験への回答
課題／議論に回答／投稿したい、又はそれを要求されたユーザは、ユーザのコンピュータと、作業グループ管理システムの対話機能及び協調機能とを用いて、そのようにすることができる。
【００５６】
１．７．６．３．結果表示
そのように要求された場合、ユーザは、結果を確認するために、議論スレッド又は課題解決領域を調べることができる。そして、ユーザは、目下の問題を解決しながら、ユーザのパフォーマンスに対して所定のスコアが与えられる。
【００５７】
１．７．７．作業セッション管理
【００５８】
１．７．７．１．ユーザのプロファイルへのアクセス
権限が与えられたユーザは、他のユーザの公開プロファイルにアクセスし、公開履歴書及びプラットフォームの使用状態が提示される（「公開（public）」及び「使用（usage）」の定義は、Ｐ／Ｅサーバの動的な設定によって決定する）。
【００５９】
１．７．７．２．作業セッションの参加者の追加／削除
ユーザの公的プロファイルにアクセスした後、権限が与えられたユーザは、仮想作業セッションに他のユーザを追加又は削除するように、Ｐ／Ｅサーバに要求することができる。Ｐ／Ｅサーバは、該当するユーザにこの要求を送信し、肯定的又は否定的な回答を要求し、肯定的な場合ユーザを追加する（作業セッションから削除されたユーザに対して確認は必要ない）。
【００６０】
１．７．８．会議システムの対話
プラットフォームのリアルタイムの、テキスト／音声／ビデオ会議システムは、作業セッションで、補助的な通信機構及びリモート協調ツールとして使用される（従来の方法は除いて、物理的な会議、固定電話、又は携帯電話、電子メール等）。
【００６１】
権限が与えられたユーザは、彼／彼女のコンピュータを用いて、プラットフォームの会議システムを制御し、彼／彼女は作業セッションで会議セッションを起動及び終了することができる。会議システムの起動後、他の作業セッションのユーザ全ては、作業セッションの会議システムへのアクセスを要求することができ；権限が与えられたユーザは、このような要求を許可又は拒否することに対して責任を負う。権限が与えられたユーザはまた、会議システムの焦点を管理する（誰が誰と情報のやり取りをするのか）。
【００６２】
１．８．作業グループ管理システムによる対話／活動の送信
Ｐ／Ｅサーバは、レアルタイムで、物理的位置と関係なく、作業セッションの活動全てを、作業セッションのユーザ全てに自動的に送信する。Ｐ／Ｅサーバはまた、今後の会気のために、作業セッションで制作されたコンテンツ全てに、自動的に、インデックスを作成し、保存する。その情報は、Ｐ／Ｅサーバのコンテンツ管理システムにおいて利用可能である（全ての作業セッションのオブジェクトは、独立に、例えば、テキストブロックごと、音声／ビデオクリップ等分類される）。
【００６３】
１．９．会議システムによる、対話の送信
また、リアルタイムで、作業グループ管理システムのテキスト／音声／ビデオの会議サブシステムは、その範囲内で記録された情報のやり取りを、作業セッションの会議の参加者に送信する（作業セッションのユーザ全てではない）。
【００６４】
１．１０．作業グループ管理システムからの退出
ユーザは退出コマンドを送り、退出コマンドはＰ／Ｅサーバに送信され、通知が作業セッションを退出するために要求され；Ｐ／Ｅサーバは、作業セッションが終了されるべきである場合、又は実行を継続すべきである場合を、動的に決定する。
【００６５】
２．Ｐ／Ｅサーバの情報管理方法
【００６６】
２．１．Ｐ／Ｅサーバのアクセス
ユーザは、インターネット接続又はイントラネット接続を通じて、Ｐ／Ｅサーバにアクセスする。
【００６７】
２．２．認証
ユーザは自分のログオン認証情報をＰ／Ｅサーバに提供し、Ｐ／Ｅサーバはユーザの認証情報を確認し認証する。ユーザのプロファイルは、特定のユーザに対してシステムの機能をカスタマイズするために、Ｐ／Ｅサーバによってロードされる。
【００６８】
２．３．コンテンツ管理方法
【００６９】
２．３．１．ドキュメントの保存
ユーザは、あらゆる形式の電子ドキュメントを保存することができ；ドキュメントを保存するとき、Ｐ／Ｅサーバのメタデータ設定サービスの一部として定義されるメタデータ構造体に従ってドキュメントを分類するために、システムはユーザに十分なメタデータを提供することを要求する。システムは、自動的に、適切な位置（再度、システムの設定に応じて）にドキュメントを保存し、ドキュメントをバージョン化し（version）、そして、任意に、ユーザのデジタル認証情報と共にドキュメントに署名し；そのように構成された場合、システムはまた、システムに保存されたドキュメントに応じて一連のアクション（ワークフロー）を起動することができる（アクションの例として、電子メールの送信、他のドキュメントの作成；実行するためのユーザ用タスクの作成等）。
【００７０】
２．３．２．（メタ）情報構造体へのアクセス
ユーザは、Ｐ／Ｅサーバのインデックス作成及び分類構造体にナビゲートし、又は、複雑なテキスト形式の表現及び演算子を入力することによってコンテンツを検索する（「this及び（and）that」、「this又は（or）that」、「thisはthatを含む（contain）」）。この形式の入力に応じて、サーバは、位置に関係なく、所定の基準に合致するコンテンツのリストを提示する。所望の電子ドキュメントの発見で、ユーザは、ドキュメントを読み、書き込み、又は起動し、及び／又は、メタデータ情報（作成日及びユーザ、ドキュメント形式等）にアクセスすることができる。任意に、十分に権限が与えられたユーザは、所定のドキュメントに関連したメタデータを変更することができ；メタデータの変更は、ドキュメントの再分類をもたらし、それは所定のオブジェクトの再配置をもたらす可能性がある。本方法により、各ドキュメントのバージョンに対して、本システム内で複製される可能性がある。
【００７１】
２．３．３．個人領域管理
ユーザは、自分の個人領域にアクセスし、自分の個人データ（認証情報、住所、カスタム・プロファイル・データ、接続情報等）を管理し、そして、他のユーザと情報のやり取り（リアルタイムの協調ではない）をするために、協調領域（ブログ、ウィキ（Wikis）、ニュース・レター等）を追加／削除する。
【００７２】
個人メッセージシステムは、他のユーザに（リアルタイムではない）非同期のメッセージを直接送信し、他のユーザが送信してきたメッセージに応答し；全てのメッセージはインデックス化され、Ｐ／Ｅサーバによって保存されて送られ；ユーザは、後で、メッセージを消去することができる。
【００７３】
２．３．４．ユーザ管理
権限を与えられたユーザ（Ｐ／Ｅサーバの管理者）は、システムにユーザを追加／削除し、ユーザのアクセス認証及び基本プロファイルを設定し、そして、ユーザがシステムにアクセスするのをブロック又はアンブロックし；本システムは自動的に、新規の又は変更されたユーザのプロファイルに基づいて、不可欠なセキュリティルール及びアクセス制限を実行し、場合により、既に存在する情報を再分類する。全てのサブシステムは自動的に、変更が通知され、それに従い再構成される。
【００７４】
２．３．５．コンテンツ管理
ユーザは、自分が責任を持つコンテンツ（ユーザが作成し、又は、コンテンツに対して、他のコンテンツの所有者が制御を放棄したもの）を管理し；ユーザは、自分の個人のコンテンツ・ギャラリー又はＰ／Ｅサーバのコミュニティが運営するギャラリーからコンテンツ（新規又は古いコンテンツの異なるバージョン）を追加・削除し（権限を与えられたユーザはアクセス−誰がコンテンツを追加、削除及び／又は変更できるのか、を制御する）；コンテンツは自動的に、仮想作業セッションの動的な包含体用の作業グループ管理システムを利用可能にし；コンテンツが公表される場合（公開コンテンツ・ギャラリーに置かれる場合）、Ｐ／Ｅサーバの自動的な分類基盤構造体を実行するだけで、ユーザは個人のギャラリー内のコンテンツ全てのメタデータを管理する。
【００７５】
２．３．６．（メタ）情報構造体の管理
権限を与えられたユーザは、コンテンツ保存場所を追加／削除して、コンテンツを再配置することによって、システムのドキュメント／コンテンツの分類構造体を設定する。
【００７６】
２．４．Ｐ／Ｅサーバからの退出
ユーザは、彼／彼女のＰ／Ｅサーバのセッションを終了する。
【００７７】
（ミニ・データセンター）
ミニ・データセンターは、Ｐ／Ｅプラットフォーム全体の中央的存在であり、主要部である。
【００７８】
ミニ・データセンターは、Ｐ／Ｅプラットフォーム全体、及び、従って、ミニ・データセンターが実行する全てのサブシステム及び手順、の機能を保証する異なる電子コンポーネントを含む、ハードウェアの部材である。
【００７９】
物理的に、本装置は、以下に説明される電子デバイスが実装された、硬いボックスである。
【００８０】
ミニ・データセンターは、容易に直感で設定でき、かつ、使用できるという、一連の要求に応じて設計されている。
【００８１】
その目的は、統合化され、すぐに製品を使用することができ、自己設定可能なシステムを特徴とするような、基本Ｐ／Ｅプラットフォームを提供することである。
【００８２】
ミニ・データセンター又はＰ／Ｅサーバは、処理能力を有し、コンテンツを管理し、そして、論理的にデジタル情報を保存する。
【００８３】
ミニ・データセンターは、高セキュリティ基準を要求する基盤の管理に必要な一連のコンポーネントを含む。
【００８４】
ミニ・データセンターはまた、遠隔保守できるために、リモート・アクセスを採用する。
【００８５】
（ミニ・データセンターのコンポーネント）
【００８６】
１−処理ユニット
Ｐ／Ｅサーバは、冗長電力供給装置、記憶装置、及び、空調装置を有する、データセンターに適した一式のサーバを含む。
【００８７】
２−記憶ユニット
Ｐ／Ｅサーバは、実装の必要性に応じて、拡張可能で、設定可能な、可変容量記憶装置を含む。
【００８８】
３−記憶装置
データ保存は、冗長性により、大量の情報を有することができる記憶コンポーネントによって保証される。本記憶コンポーネントは、Ｐ／Ｅプラットフォームとそのハードウェアの不具合に対して拡張性を提供する。
【００８９】
４−通信
Ｐ／Ｅサーバは、Ｐ／Ｅプラットフォームと高スピードのネットワークとを統合させる他のデバイスと通信し、そして、全ての通信を集中して行う。ハードウェアは、Ｐ／Ｅサーバで設定された、許可及びアクセスレベルに応じて、送信全体に渡ってリアルタイム制御を実行し、そのトラフィックをフィルタにかける、ファイアウォールを有する。
【００９０】
５−エネルギー
電力供給装置は、システムが外部の電極供給停止に影響を受け難いことと、電圧異常及び瞬時の電力停止に耐える能力と、を保証するモジュール（ＵＰＳ）である。
【００９１】
継続する電力停止の場合、電力供給装置は自動的にシステムをシャットダウンし、システムが停止する前に情報が保存されることを保証する。
【００９２】
ＵＰＳは、システムの状態を確認するために、監視システムに接続される。
【００９３】
６−セーフティ・コンポーネント
６．１．マイクロホン
Ｐ／Ｅサーバの前面には、人が人間の存在を確認し、記録することができるマイクロホンがある。本特徴を通じて、Ｐ／Ｅサーバは、教室の音声環境を監視することができ、また警告を送信し、サポートチームとの会話を開始することができる。同時に、音声及び映像を使用することにより、存在するデジタル通信基盤構造を介して、ユーザがサポートチームと連絡を取ることができる。
【００９４】
６．２．ビデオカメラ
ミニ・データセンターのフロントパネルに配置されたカメラは、動きの検出が可能である。動きが検出されると、予定される今後の調査のために、システムは記録を開始し、外部の場所に情報を送信する。本カメラによりまた、サポートチームとの会話を開始することができる。
【００９５】
６．３．サーボモータが装備されたアクセスドア
サーボモータを備えたドアを使用し、統合されたセキュリティ・システムを通じた装置へのアクセスを保護することができる。これは、ユーザが認証された後のみ、ドアが開くということを意味する。
【００９６】
６．４．ＲＦＩＤ
ＲＦＩＤシステムは、何らかの介入の前に、技術者が肯定的に認証されることを必要とする。認証されていない間に、誰かがシステムコンポーネントにアクセスしようとした場合、システムは瞬時にアクセス自身を阻止する。
【００９７】
６．５．個人認証システム
生体測定技術（音声、指紋、虹彩、又は、顔面認識）に基づく個人認証システムを、個人の認識のために使用することができ、装置が権限を与えられていない個人によってアクセスされることから保護する。
【００９８】
６．６．レーザービーム
装置が強要される場合、ボックスの周囲全体を対象とするレーザーシステムがある。ビームは目に見えないが、オブジェクトが横切ると、アラームを発し、装置へのアクセスをブロックして暗号キーを破壊するための処理を起動し、そして、設定情報にアクセスするのを不可能にする。
【００９９】
６．７．チップ・データの暗号化
システムに保存されたデータは、暗号認証を含むチップによって暗号化される。データを暗号化することによって、情報は予測される盗難及び不正行為に対して安全性を高める。
【０１００】
７．統合化された空調モジュール
空調モジュールは、ミニ・データセンターの上部に設置された、補助的なシステムである。外部の構造体の全てに設置され、冷却システムが完全に停止することから守る。
【０１０１】
高温、高いレベルの湿度、又は適切に機能するのとは逆の他の状態の場所で、サーバを使用できるように、空調装置は非常に重要である。
【０１０２】
８−防音ボード
作業での衛生及び安全の基準に基づいて、騒音放射が抑えられるように制御することができる。
【０１０３】
９−監視、セキュリティ及び支援
【０１０４】
９．１．監視
ミニ・データセンターは、監視用に特有のコンポーネントを有し；本コンポーネントは、技術支援を即座に可能にする、Ｐ／Ｅプラットフォームのハードウェア及びソフトウェアの全てを点検する機能を有する。
【０１０５】
装置の状態に関する情報は、Ｐ／Ｅサーバの外部に配置された外部ディスプレイを利用できる。
【０１０６】
計器を監視することによって、装置の操作状態を確認することができ、予防保全と資源／性能の最適化を可能にする。
【０１０７】
全ての関し記録は集中化され、公開又は個人の通信ネットワークを介してリモートで分析される。
【０１０８】
９．２．支援
支援は、近く、又は、遠隔であってもよい。
【０１０９】
ミニ・データセンターの外部スクリーンを使用することによって、ユーザは技術サポートの要求を直接送ることができる。
【０１１０】
サポート技術者が問題をより深く分析できるように、サポート技術者に遠隔装置の使用を認め、記録（ログ）を監視することを、ユーザは選択することができる。
【０１１１】
装置に設けられた、外部スクリーン、カメラ、及びマイクロホンを使用することによって、ユーザが遠隔サポートチームと情報のやり取りを行い、同時に不調和を修正するための指示を受けて処理を続けることができる。
【０１１２】
９．３．セキュリティ
Ｐ／Ｅサーバへの物理的アクセスは、次の処理に応じて、異なる度合いの安全検査に基づき行われる。
【０１１３】
技術者は、第２認証マッチング機構へのアクセスを獲得するために、物理的にＰ／Ｅサーバにアクセスし、スクリーン上に自分の個人コードを書き込む。コードが正しいと、システムは、（生体又は他の）個人認証システムを通じて、彼／彼女の認証情報を入力することを技術者に要求する。
【０１１４】
技術者の認証情報を確認した後、ミニ・データセンターのドアが開き、レーザー検出システムを停止する。
【０１１５】
ＩＩ−Ｐ／Ｅサーバと情報のやり取りをする周辺機器
【０１１６】
１−対話型ボード
対話型スマートボードは、Ｐ／Ｅプラットフォームの一部である外部周辺機器として、Ｐ／Ｅサーバと情報のやり取りをする。
【０１１７】
対話型スマートボードは、ユーザ名及びパスワードからなる識別エレメントの組み合わせ、又は、その代わりに、生体認証システムを通じて、認証とＰ／Ｅプラットフォームとの統合とを保証する、制御コンピュータと内部接続する。
【０１１８】
２−作業コンピュータ
作業コンピュータは、無線ネットワークを通じて、又は、インターネット接続を介して、Ｐ／Ｅサーバに接続する。
【０１１９】
装置の位置に関わらず、作業コンピュータがシステムにアクセスできるように、作業コンピュータは常に、Ｐ／Ｅプラットフォームの前に認証されなければならない。
【０１２０】
Ｐ／Ｅプラットフォームのコマンドシステム（以下、参照）を使用すると、各ユーザは認証され、各ユーザがアクセスした機能全てが自動的に利用できる。
【０１２１】
３−マイクロホン
マイクロホンを使用すると、作業セッションの音声を記録することができる、例えば、学生が再び後で聞くことができるように、教師が授業を記録してもよい。
【０１２２】
４−カメラ
カメラとして利用可能なデバイスを使用すると、全作業セッションを記録し、後で再生することができる。
【０１２３】
５−テレビ会議システム
リアルタイムで、テキスト、音声及び映像の記録及び配布を可能にする電子システムはまた、Ｐ／Ｅプラットフォームの様々なユーザ間の全ての情報のやり取りを記録し、保存するために使用される。
【０１２４】
６−ユーザの地球位置決定システム
本システムは、地球位置決定システムとして利用可能なアクセス・カードの使用を通じてユーザの位置を監視し、位置境界を越えると警告（音声、電子メール等）を発する。
【０１２５】
７−アクセス・ポイント
アクセス・ポイントを使用することによって、Ｐ／Ｅプラットフォームの物理的基盤をリンクするための有線を必要とすることなく、ネットワークのコンポーネントの全てを統合することができる。
【０１２６】
８−他の周辺機器
プラットフォーム全体は、拡張し、例えば、身体障害がある人に合わせた周辺機器等の新規のコンポーネントを統合するように設計される。
【０１２７】
ＩＩＩ−論理的基盤
【０１２８】
１−Ｐ／Ｅプラットフォーム・ネットワーク
Ｐ／Ｅプラットフォームの全ては、分散型の方法で（in a distributed way）設計され、新規のノードが追加されるのを可能にし、仮想境界を実行するために、信用ルールと信頼性を定義できる分散型ネットワークを形成する。本ネットワークの各ノードは、Ｐ／Ｅプラットフォーム・コマンド・システムと呼ばれる。
【０１２９】
Ｐ／Ｅプラットフォーム・ネットワークは、接続されたコマンド・システム全てによって形成される。
【０１３０】
２−分配型通信
メッセージはネットワーク・ノード間で送られ、そして、全ての通信は、Ｐ／Ｅサーバと適切なＰ／Ｅプラットフォーム・コマンド・システムとの間で行われなければならない。
【０１３１】
３−Ｐ／Ｅプラットフォームの管理
Ｐ／Ｅプラットフォームの管理システムは、例えば、ユーザ管理、ユーザ・グループの作成、アクセスのしやすさや拡張機能の設定、サブシステムのインストール等の機能を可能にする。
【０１３２】
本システムはまた、Ｐ／Ｅプラットフォームのユーザ間で信用ルールを定義するものであり、構造化ネットワークの形成を可能にする。
【０１３３】
４−コンテンツ管理システム
Ｐ／Ｅプラットフォームは、以下のものを提供するコンテンツ管理システムを含む。
【０１３４】
コンテンツ変更用の通知制御システム−サーバ間での自動コンテンツ分散用システムは、コンテンツが異なるプラットフォーム間で連続的に同期されることを保証し、コンテンツへの最適化されたローカルアクセスを可能にする。
【０１３５】
コンテンツ管理システムは、構造化され、分類化され、インデックスが作成された機構であり、効率的な情報検索、ドキュメントのバージョニング及びライフサイクル管理、独立して保存される各データ・ユニット（コンテンツ／電子ドキュメント）に対する検査及び追跡を可能にする。
【０１３６】
アクセス制御システムは、十分に安全な環境で、異なるユーザ間で情報の共有を可能にする。
【０１３７】
ドキュメントが完全になるまでローカルにドキュメントを保存する必要がないように、システムは、仮想作業空間の形成を可能にし、ユーザに個人の作業領域を提供し；全てのドキュメントは保証され、Ｐ／Ｅプラットフォームで引き続き利用でき、ドキュメントの存続中、局所的なデータ破損及び情報の欠損（例えば、予想外の削除）を免れる。
【０１３８】
Microsoft office（登録商標）プラットフォーム、又は、その他のＷｅｂＤＡＶを使用できるツールを通じて、生産性を向上することができる。
【０１３９】
５−統合
Ｐ／Ｅプラットフォームは、オープン・アーキテクチャで設計され、新規のシステムの後の統合を可能にする。
【０１４０】
対話型作業グループ管理システムを使用することによって、例えば、教育ゲーム、教育クイズ、動的ミーティング課題、to-doリスト等の対話型コンテンツを統合することができる。
【０１４１】
Ｐ／Ｅプラットフォームは、より動的なコンテンツの制作を可能にする、開発アプリケーション・ツール一式から構成され、Ｐ／Ｅプラットフォーム上で直接利用されることができる。
【０１４２】
６−国際化
Ｐ／Ｅプラットフォームは、数ヵ国の言語をサポートし、その他の言語をサポートするように設定されることができる。
【０１４３】
ＩＶ−プラットフォームに実装された処理
【０１４４】
１−デジタル・モード／共同プラットフォームの公式ガイド
Ｐ／Ｅプラットフォームはまた、次の共同ツール一式を提供する。
・ブログ
・ウィキ
・フォーラム
・通知
・警戒
・ＳＭＳ
・ニュース・レター
・ニュース
・カレンダー及びイベント
【０１４５】
２−構造体エクスプローラ
本システムは、モデルの作成、インデックスの作成、使用を可能にし、シンプルかつ直的な方法で、複雑なコンテンツの構造体の保存を可能にする。
【０１４６】
構造体エクスプローラはまた、構造体ジェネレータ・サブシステムと呼ばれる、自動構造体ジェネレータを含む。本システムは、ルールに基づく複製を通じて、コンテンツ及び予め定義されたファイル構造を複製することができる。
【０１４７】
３−Ｐ／Ｅプラットフォーム・コマンド・システム
Ｐ／Ｅプラットフォーム・コマンド・システムは、全てのコンポーネントが、認証、権限付与、報告、情報の保存、インストール、アプリケーションとモジュールのインストールと実行、及び、システム自身のアップグレードに必要な機能を有することを保証する。
【０１４８】
トップレベル・コマンド・システムは、他のサブシステム・コマンドを登録する機能を有する。サブシステムは、トップレベル・コマンド・システムに、認証情報及び機能に応じてセルフインストール及びカスタマイズする方法を知るのに必要な情報全てを要求する。
【０１４９】
これは、Ｐ／Ｅプラットフォームに接続する前に、どのコンピュータにおいても初期使用可能な唯一のシステムコンポーネントである。
【０１５０】
トップレベル・コマンド・システムは、システム間で信用ルールを作成する機能を有する。本システムは、十分に安全なコンポーネントのネットワークを作成するために、サブシステム間で通信ルールを実行する。
【０１５１】
Ｐ／Ｅプラットフォーム・アプリケーション・コンポーネント各々の実行は、コマンド・システムによって保証されている。
【０１５２】
４−アプリケーション・セレクタ
Ｐ／Ｅプラットフォームは、ソフトウェア・コンポーネントのインストール、アップグレード、初期化及び実行をするシステムを、それ自身に有する。
【０１５３】
アプリケーション・セレクタはまた、Ｐ／Ｅプラットフォームのコマンド・システムのアプリケーション・ストア及びシステム・アプリケーション・ランチャ（launcher）へのエントリー・ポイントとしての機能を果たす。
【０１５４】
５−マイ・プロファイル（My Profile）
プロファイル管理システム（My Profile）は、ユーザを識別するためにプロパティの動的作成を可能にすることによって、十分に拡張可能である。
【０１５５】
各ユーザのプロファイルは、公開及び個人データと、そのデータにアクセスできる人の定義をサポートする。Ｐ／Ｅプラットフォーム・アクセス・レベルは、ユーザのプロファイル毎にカスタマイズすることができる。
【０１５６】
プロファイル管理システムのソフトウェア・コンポーネントは、権限を与えられたユーザに、ユーザ・プロファイル・プールへのアクセス及びメンテナンスを認める。そして、ユーザ自身のプロファイルを管理するのに必要な機能を提供する。
【０１５７】
公開プロファイル情報の例として、個人の興味、誕生日、インターネット・コンタクト情報等を含む。プロファイル管理システムはまた、ユーザ・フレンドリーな環境で、ユーザの公開プロファイル情報の可視化を可能にするカスタマイズ可能な「ソーシャル」領域又はページを作成することができる。
【０１５８】
適性証明書・アロケーション・システムは、学校が、学生のプロファイルと永遠に関連付けられた証明書を作成することができる。例えば、学生が特定の検査又は試験をパスしたことを示す証明書を有することができる。
【０１５９】
これらの証明書は、Ｐ／Ｅプラットフォームのプロファイルの他の全てのプロパティ同様に、システム間でエクスポート可能であり、ユーザがそのプロファイルを他のＰ／Ｅプラットフォームのどこへ送信したかをモニターする。
【０１６０】
６−マイ・ロケーション（My Location）
マイ・ロケーション・システムは、地球位置決定カードの使用に基づいている。
【０１６１】
物理的位置情報をＰ／Ｅプラットフォームに送信する特定のカードのシステムを使用することによって、本システムは、権限を与えられたユーザに、Ｐ／Ｅプラットフォームの他のユーザが物理的に位置付けられている場所を知らせる。
【０１６２】
ユーザが外の位置、又は、設定されたサービス領域の内側／外側に移動すると、本システムは自動的に警告を発する。
【０１６３】
警告登録システムにより、ユーザ又はソフトウェア・コンポーネントは、特定のイベントが起きたときはいつでも、警告メッセージの受信者として構成されることができる。
【０１６４】
７−マイ・ギャラリー（My Gallery）
マイ・ギャラリー・システムは、作業グループ管理システムに統合され、作業グループ管理システムの仮想作業セッションとの関連で使用される得るコンテンツ・ギャラリーの作成を可能にする。
【０１６５】
本システムは、予め定義されたコンテンツ、ユーザが作り出したコンテンツ、又は、第三者のカスタムが開発したコンテンツのいずれか、又は全てを含むことができる。
【０１６６】
８−アプリケーション・ストア
アプリケーション・ストアは、ユーザへのアプリケーションの配信を可能にするシステムである。
【０１６７】
本システムは、全てのアプリケーション、及び、ユーザが自分の特定のプロファイルに応じてアクセスできる機能を保存し、インデックスを作成する。
【０１６８】
９−対話型作業グループ管理システム
作業グループ管理システムは、リアルタイム管理と、Ｐ／Ｅプラットフォームのユーザ間でコンテンツを共有することができるシステムであり、オフライン分散及び後の使用のために全ての交換された情報を保存する。
【０１６９】
作業グループ管理システムの作業セッションの作成により、他の特権を与えられたユーザ（例えば、教師）によって作業セッションが制御されている間、複数のユーザ（例えば、学生）が同じ情報で作業することができる。
【０１７０】
作業グループ管理システムは、ユーザの異なるプロファイルに応じて、異なるユーザ間で、分散型作業セッションを開始する機能を有する。
【０１７１】
権限を与えられたユーザ（例えば、教師）は、作業セッション毎のユーザのプロファイルに応じて、作業グループ管理システムの実行を他のユーザ（例えば、学生）に強要する。
【０１７２】
本システムは、Ｐ／Ｅプラットフォームによって管理され、Ｐ／Ｅプラットフォームに接続可能な様々な周辺機器（例えば、ｗｅｂカメラ、対話型スマートボード等）間で、即時、管理された、リアルタイムの情報のやり取りが可能である。
【０１７３】
本システムは、メタデータ管理システムに統合される記憶装置コンポーネントを有し、作業セッションで生じたコンテンツ全てにインデックスを作成し、そして、Ｐ／Ｅサーバ・記憶装置システム内の論理的位置を管理する。
【０１７４】
メタデータ・システムは拡張可能で、新規のコンポーネントがドキュメント／コンテンツの分類プロパティを拡張することができる。
【０１７５】
作業グループ管理システムは、作業セッションの権限を与えられたユーザが、他の作業セッションからユーザに遠隔参加を要求することが可能である。逆もまた可能である。
【０１７６】
作業グループ管理システム間での情報のやり取り全ては、検査するために記録され、また、後に作業セッションを再生することも可能である。
【０１７７】
作業グループ管理システムは、作業（ワークショップ、レクチャー、訓練セッション等）に関連した、新規の機能及び特性により、拡張可能である。
【０１７８】
作業グループ管理システムの作業セッションにおけるユーザのコンピュータを、権限を与えられたユーザのコンピュータからリモートでロック又はアンロックすることができる。
【０１７９】
作業セッションは、制限のない利用可能なコンテンツ領域を有する。ズーム及びパンする機能は、コンテンツ領域全体に対して利用させることができる。
【０１８０】
上述した通り、作業グループ管理システムは、対話型で動的なコンテンツを含み、ユーザに拡張した機能を提供することができる。作業セッションの状態で始動させる、コンテンツ及びアクションは、リアルタイムで、他の作業セッションユーザ全員に複製される。コンテンツは、（ユーザのコンピュータ上で利用可能な入力方法を介して）他のコンテンツ、参加者、及び、（プラットフォームの設定によって可能である場合）任意の他のプラットフォームのソフトウェア・コンポーネントと情報のやり取りをすることができる。
【０１８１】
本システムは、ユーザの位置にとらわれず、インターネット接続を通じて、作業セッションにリモート・アクセスすることができる。
【０１８２】
音声及びビデオを記録及び流す本システムは、リモートで教室に参加するユーザが、まるで物理的に出席しているかのように、聴講し、活動することができる。
【０１８３】
スピーチ認証システムは、任意の物理的位置で、ユーザのコンピュータの音声入力デバイスで取得されたものを、作業セッションに、自動的に文字に起こす（transcription）ことができる。同期化されたスピーチはまた、作業セッションで書き込まれたテキストで構成され、送信されることができる。
【０１８４】
作業グループ管理システムの作業セッション内のユーザ・グループの作成により、作業セッションに関連して、異なる作業グループが情報に別々にアクセスすることを可能にする。
【０１８５】
１０−ファイル形式
ＸＭＬは基本コンテンツ記載フォーマットである。このことは、様々なアプリケーションの開発ツールが制作されたコンテンツにアクセスするために使用され得ることを意味する。
【０１８６】
さらに、Ｐ／Ｅプラットフォームは、フォーマットに関係なく、（メタデータ管理システムに基づいて）コンテンツの保存及びインデックスの作成を可能にする。
【０１８７】
また、作業グループ管理システムは、様々なフォーマットのコンテンツを含むことができ、添付ドキュメント又は仮想コンテンツとして直接、作業セッションに含まれる。
【０１８８】
１１−従属性管理システム
本システムは、Ｐ／Ｅプラットフォームコンポーネント間での従属性の管理をすることができる。
【０１８９】
予めインストールされたコンポーネントの状態を継続的に監視することによって、本システムは、大量の情報の複製をすることなく、従属するファイルの複製を行うことができる。
【０１９０】
１２−アプリケーション保存システム
本システムは、Ｐ／Ｅプラットフォームの機能を保証するアプリケーション全ての保存を管理することに関与する。
【０１９１】
１３−アプリケーション開発ツールキット
Ｐ／Ｅプラットフォームは、新規のアプリケーションが開発されて、既存のアプリケーションと統合する、アプリケーション開発ツール一式を含む。
【０１９２】
Ｐ／Ｅプラットフォームの開発ツールはまた、作業グループ管理システムに継続的に組み込まれ、全てのユーザにリアルタイムで複製される、コンテンツの開発をすることができる。
【図１】
2012519322.tif 000003
【図２】
2012519322.tif 000004
【国際調査報告】
2012519322.tif 000005
2012519322.tif 000006
2012519322.tif 000007
2012519322.tif 000008
2012519322.tif 000009
2012519322.tif 000010